【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
装置であって、
ピクチャ内の少なくとも一つのブロックを符号化するビデオ符号化器を備え、
前記ビデオ符号化器は、前記ブロックの残差を変換して変換係数を取得し、該変換係数を量子化して量子化された変換係数を取得し、該量子化された変換係数をエントロピー符号化することによって符号化を行い、
前記量子化された変換係数はフラグを使用して符号化され、該フラグは前記量子化された変換係数のうち処理が行われている現在の変換係数が特定の値と同等かそれよりも大きい値を有するブロックに対する最後の非零係数であることを示し、該特定の値が複数の値のうちから選択される、前記装置。
【請求項２】
ビデオ符号化器における方法であって、
ピクチャ内の少なくともブロックの符号化を行うステップを含み、
前記符号化を行うステップは、前記ブロックの残差を変換して変換係数を取得し、該変換係数を量子化して量子化された変換係数を取得し、該量子化された変換係数をエントロピー符号化することによって変換を行い、
前記量子化された変換係数はフラグを使用して符号化され、該フラグは前記量子化された変換係数のうち処理が行われている現在の変換係数が特定の値と同等かそれよりも大きい値を有するブロックに対する最後の非零係数であることを示し、該特定の値が複数の値のうちから選択される、前記方法。
【請求項３】
前記特定の値よりも小さい値を有する前記量子化された変換係数のうちの後続する非零係数は、該特定の値よりも小さい値を有する該後続する非零係数の各々の符号のみを符号化することによって符号化される、請求項２に記載の方法。
【請求項４】
前記ピクチャは、ビデオ・シーケンスに含まれる複数のピクチャのうちの１つであり、前記特定の値は該ピクチャ内、または該ビデオ・シーケンス内の該複数のピクチャのうちの１つあるいはそれよりも多い他のピクチャ内の既に処理されたブロックから導出された統計値に応じて適応的に選択される、請求項２に記載の方法。
【請求項５】
前記特定の値が明示的に信号伝達される、請求項２に記載の方法。
【請求項６】
前記特定の値は、シーケンス・レベル、フレーム・レベル、スライス・レベル、およびブロック・レベルのうちの少なくとも１つで明示的に信号伝達される、請求項２に記載の方法。
【請求項７】
前記量子化された変換係数のうちの現在の変換係数のレベルは、該量子化された変換係数のうちの該現在の変換係数の実際の値から前記特定の値を減算して差分値を取得し、前記レベルとして前記差分値を符号化することによって符号化され、対応する復号器が前記差分値を前記特定の値に加算することによって前記レベルを再生できるようにする、請求項２に記載の方法。
【請求項８】
ｓｉｇ＿ｆｌａｇシンタックス要素、前記フラグ、ｌａｓｔ＿ｆｌａｇシンタックス要素、Ｂｉｎ＿１シンタックス要素、レベル・シンタックス要素、およびサイン・シンタックス要素が同一の走査順で符号化され、
前記ｓｉｇ＿ｆｌａｇシンタックス要素は、前記量子化された変換係数のうちの前記現在の変換係数が非零値を有するかどうかを示し、
前記ｌａｓｔ＿ｆｌａｇシンタックス要素は、前記非零値を有する前記量子化された変換係数のうちの前記現在の変換係数が所与の走査順にある前記ブロック内の前記非零値を有する最後の量子化された変換係数であるかどうかを示し、
前記Ｂｉｎ＿１シンタックス要素は、前記量子化された変換係数のうちの前記現在の変換係数の絶対値が現在既知でない非零値を有することを示し、
前記レベル・シンタックス要素は、前記量子化された変換係数のうちの前記現在の変換係数の絶対値が前記特定の値よりも大きいとき、該量子化された変換係数のうちの該現在の変換係数の絶対値を示し、
前記サイン・シンタックス要素は、前記量子化された変換係数のうちの前記現在の変換係数の対応する符号を示す、請求項２に記載の方法。
【請求項９】
装置であって、
ピクチャ内の少なくともブロックを復号するビデオ復号器を備え、
前記ビデオ復号器は、量子化された変換係数をエントロピー復号し、該量子化された変換係数を逆量子化して変換係数を取得し、該変換係数を逆変換して前記ブロックを再構築する際に使用するための前記ブロックの再構築された残差を取得することによって復号を行い、
前記量子化された変換係数はフラグを使用して復号され、該フラグは前記量子化された変換係数のうち処理が行われている現在の変換係数が特定の値と同等かそれよりも大きい値を有するブロックに対する最後の非零係数であることを示し、該特定の値が複数の値のうちから選択される、前記装置。
【請求項１０】
ビデオ復号器における方法であって、
ピクチャ内の少なくともブロックの復号を行うステップを含み、
前記復号を行うステップは、量子化された変換係数をエントロピー復号し、該量子化された変換係数を逆量子化して変換係数を取得し、該変換係数を逆変換して前記ブロックを再構築する際に使用するための前記ブロックの再構築された残差を取得することによって復号を行い、
前記量子化された変換係数はフラグを使用して復号され、該フラグは前記量子化された変換係数のうち処理が行われている現在の変換係数が特定の値と同等かそれよりも大きい値を有するブロックに対する最後の非零係数であることを示し、該特定の値が複数の値のうちから選択される、前記方法。
【請求項１１】
前記特定の値よりも小さい値を有する前記量子化された変換係数のうちの後続する非零係数は、該特定の値よりも小さい値を有する該後続する非零係数の各々の符号のみを復号することによって復号される、請求項１０に記載の方法。
【請求項１２】
前記特定の値が明示的に決定される、請求項１０に記載の方法。
【請求項１３】
前記特定の値は、シーケンス・レベル、フレーム・レベル、スライス・レベル、およびブロック・レベルのうちの少なくとも１つから明示的に決定される、請求項１０に記載の方法。
【請求項１４】
前記量子化された変換係数のうちの現在の変換係数のレベルは、該量子化された変換係数のうちの該現在の変換係数の実際の値と前記特定の値との間で予め求められた差分値を復号し、該差分値を該特定の値に加算して前記レベルを取得することによって復号される、請求項１０に記載の方法。
【請求項１５】
ｓｉｇ＿ｆｌａｇシンタックス要素、前記フラグ、ｌａｓｔ＿ｆｌａｇシンタックス要素、Ｂｉｎ＿１シンタックス要素、レベル・シンタックス要素、およびサイン・シンタックス要素が同一の走査順で符号化され、
前記ｓｉｇ＿ｆｌａｇシンタックス要素は、前記量子化された変換係数のうちの前記現在の変換係数が非零値を有するかどうかを示し、
前記ｌａｓｔ＿ｆｌａｇシンタックス要素は、前記非零値を有する前記量子化された変換係数のうちの前記現在の変換係数が所与の走査順にある前記ブロック内の前記非零値を有する最後の量子化された変換係数であるかどうかを示し、
前記Ｂｉｎ＿１シンタックス要素は、前記量子化された変換係数のうちの前記現在の変換係数の絶対値が現在既知でない非零値を有することを示し、
前記レベル・シンタックス要素は、前記量子化された変換係数のうちの前記現在の変換係数の絶対値が前記特定の値よりも大きいとき、該量子化された変換係数のうちの該現在の変換係数の絶対値を示し、
前記サイン・シンタックス要素は、前記量子化された変換係数のうちの前記現在の変換係数の対応する符号を示す、請求項１０に記載の方法。